(57)【要約】【課題】周波数分割中継を用いる下り回線において、中継局の回り込み干渉の影響を低減させ、中継局の受信信号の品質の低下を防止すること。【解決手段】基地局装置から中継局装置又は基地局装置配下の移動局装置への下り回線に用いられる第１の周波数帯域と、中継局装置から中継局装置配下の移動局装置への下り回線に用いられる第２の周波数帯域とが隣接する無線通信システムにおいて、第１の周波数帯域の一部であって、第２の周波数帯域に隣接する周波数帯域を中継局装置のためのガードバンド帯域とし、第１の周波数帯域のうちカードバンド帯域外の第３の周波数帯域に、制御信号を割り当て、割り当て後の制御信号を基地局装置は中継局装置に送信する。【選択図】図５
2010148012.tif 000002
【特許請求の範囲】
【請求項１】
基地局装置から中継局装置又は前記基地局装置配下の移動局装置への下り回線に用いられる第１の周波数帯域と、前記中継局装置から前記中継局装置配下の移動局装置への下り回線に用いられる第２の周波数帯域とが隣接する無線通信システムにおいて、前記基地局装置が前記中継局装置に制御信号を送信する送信方法であって、
前記第１の周波数帯域の一部であって、前記第２の周波数帯域に隣接する周波数帯域を前記中継局装置のためのガードバンド帯域とし、前記第１の周波数帯域のうち前記カードバンド帯域外の第３の周波数帯域に、前記制御信号を割り当て、
割り当て後の前記制御信号を前記中継局装置に送信する、
送信方法。
【請求項２】
前記無線通信システムは、ＬＴＥシステムをサポートし、
前記制御信号は、前記中継局装置用のＰＤＣＣＨを含み、
前記ＬＴＥシステムにおいて、リソースエレメントに周波数拡散された前記基地局装置配下の移動局装置用のＰＤＣＣＨが配置されるＣＣＥのうち、前記第３の周波数帯域に含まれるＣＣＥであって、異なるＣＣＥ番号のＣＣＥを組み合わせて、前記中継局装置用のＣＣＥとし、
前記中継局装置用のＣＣＥが対応するリソースエレメントに前記中継局装置用のＰＤＣＣＨを配置し、配置後の前記中継局装置用のＰＤＣＣＨを前記中継局装置に送信する、
請求項１に記載の送信方法。
【請求項３】
前記第３の周波数帯域が、前記第１の周波数帯域のＭ／Ｎ（Ｍ／Ｎ＞０）の場合、前記Ｎ個のＣＣＥ番号から前記Ｍ個のＣＣＥ番号を選択し、前記Ｎ個のＣＣＥ番号のＣＣＥに、選択した前記Ｍ個のＣＣＥ番号を割り当て、前記Ｍ個のＣＣＥ番号が割り当てられたＣＣＥを、前記中継局装置用のＣＣＥとする、
請求項２に記載の送信方法。
【請求項４】
前記第２の周波数帯域あるいは第２の周波数帯域の一部を、前記基地局装置から前記中継局装置以外の中継局装置又は前記基地局装置配下の移動局装置への下り回線に用いられる第４の周波数帯域とし、
前期第３の周波数帯域が、前記第１の周波数帯域と前記第４の周波数帯域とを合わせた帯域のＭ／Ｎ（Ｍ／Ｎ＞０）の場合、前記Ｎ個のＣＣＥ番号から前記Ｍ個のＣＣＥ番号を選択し、前記Ｎ個のＣＣＥ番号のＣＣＥに、選択した前記Ｍ個のＣＣＥ番号を割り当て、前記Ｍ個のＣＣＥ番号が割り当てられたＣＣＥを、前記中継局装置用のＣＣＥとする、
請求項２に記載の送信方法。
【請求項５】
前記Ｍ／Ｎは、前記中継局装置の回り込み干渉が大きいほど小さい、
請求項３に記載の送信方法。
【請求項６】
前記無線通信システムは、ＬＴＥ−Ａｄｖａｎｃｅｄシステムを更にサポートし、
前記ガードバンド帯域内のＣＣＥであって、前記中継局装置用のＣＣＥとしたＣＣＥ番号のＣＣＥを組み合わせて、前記ＬＴＥ−Ａｄｖａｎｃｅｄシステムの移動局装置用のＣＣＥとし、
前記ＬＴＥ−Ａｄｖａｎｃｅｄシステムの移動局装置用のＣＣＥが対応するリソースエレメントに前記ＬＴＥ＋システムの移動局装置用のＰＤＣＣＨを配置し、配置後の前記ＬＴＥ＋システムの移動局装置用のＰＤＣＣＨを前記ＬＴＥ−Ａｄｖａｎｃｅｄシステムの移動局装置に送信する、
請求項２に記載の送信方法。
【請求項７】
前記制御信号は、前記中継局装置用のＰＣＦＩＣＨを更に含み、
前記制御信号が１つのＯＦＤＭシンボルから構成される場合、前記第３の周波数帯域における空きリソースエレメントに、前記中継局装置用のＰＣＦＩＣＨを配置し、
配置後の前記中継局装置用のＰＣＦＩＣＨを前記中継局装置に送信する、
請求項２に記載の送信方法。
【請求項８】
前記制御信号は、前記中継局装置用のＰＨＩＣＨを更に含み、
前記制御信号が複数のＯＦＤＭシンボルから構成される場合、前記第３の周波数帯域において、前記中継局装置用のＰＣＦＩＣＨが配置されるリソースエレメントのＣＣＥ番号と同一のＣＣＥ番号のリソースエレメントに、前記中継局装置用のＰＨＩＣＨを配置し、
配置後の前記中継局装置用のＰＨＩＣＨを前記中継局装置に送信する、
請求項７に記載の送信方法。
【請求項９】
基地局装置から中継局装置又は前記基地局装置配下の移動局装置への下り回線に用いられる第１の周波数帯域と、前記中継局装置から前記中継局装置配下の移動局装置への下り回線に用いられる第２の周波数帯域とが隣接する無線通信システムに適用される基地局装置であって、
前記第１の周波数帯域の一部であって、前記第２の周波数帯域に隣接する周波数帯域を前記中継局装置のためのガードバンド帯域とし、前記第１の周波数帯域のうち前記カードバンド帯域外の第３の周波数帯域に、制御信号を割り当てる割当手段と、
割り当て後の前記制御信号を前記中継局装置に送信する送信手段と、
を具備する基地局装置。
【発明の詳細な説明】
【技術分野】
【０００１】
本発明は、送信方法および基地局装置に関する。
【背景技術】
【０００２】
近年、携帯電話機等に代表されるセルラ移動体通信システムにおいては、情報のマルチメディア化に伴い、音声データのみならず、静止画像、動画像等の大容量データ伝送が一般化しつつある。大容量データ伝送を実現するために、高周波無線帯域を利用して高伝送レートを実現する技術に関して盛んに検討がなされている。
【０００３】
高周波無線帯域を利用した場合、近距離では高伝送レートを期待できる一方、遠距離では距離が遠くなるにしたがい減衰が大きくなる。よって、高周波無線帯域を利用した移動体通信システムを実際に運用する場合、無線通信基地局装置（以下、基地局と省略する）のカバーエリアが小さくなり、このため、より多くの基地局を設置する必要が生じる。しかし、基地局の設置には相応のコストがかかるため、基地局数の増加を抑制しつつ、カバーエリアを大きくし、高周波無線帯域を利用した通信サービスを実現するための技術が強く求められている。
【０００４】
このような要求に対し、基地局と無線通信移動局装置（以下、移動局と省略する）との間に無線通信中継局装置（以下、中継局と省略する）を設置し、中継局を介して基地局と移動局とが通信する中継技術が検討されている。中継技術を用いると、基地局から離れて位置し、基地局と直接通信することが難しい移動局も、中継局を介して基地局と通信することができる。
【０００５】
中継技術には、周波数分割中継（FD relay, FDD relay）又は時間分割中継（TD relay, TDD relay）を用いる方法がある。周波数分割中継では、例えば、下り回線を例に説明すると、基地局から中継局への下り回線に用いる周波数帯域と、中継局から中継局配下の移動局への下り回線に用いる周波数帯域とに異なる周波数帯域を用い、周波数リソースを分割する。周波数分割中継では、下り回線に用いる周波数帯域（以下「サービス帯域」という）が異なるので、基地局及び中継局は、それぞれのサービス帯域についてのみリソーススケジューリングを行えば良いという利点がある。
【０００６】
一方、時間分割中継では、下り回線を例に説明すると、基地局から中継局への下り回線に用いる時間リソースと、中継局から中継局配下の移動局への下り回線に用いる時間リソースとを分離する。時間分割中継では、中継用に新たな周波数リソースを設けなくても良いという利点があるものの、基地局と中継局との間でリソーススケジューリングを行う必要がある。
【０００７】
ところで、中継技術では、自局の回り込み干渉（self interference）が問題となる。回り込み干渉とは、下り回線を例に説明すると、中継局から移動局への送信信号が、基地局からの送信信号を受信する自局の受信アンテナに回り込んで干渉することをいう（図１参照）。
【０００８】
この問題を解決するために、非特許文献１では、時間分割中継において、回り込み干渉の影響を低減させるための技術が議論されている。
【非特許文献１】R1-083711 “Cell edge throughput improvement with L1 relay”,3GPP TSG-RAN-WG1 Meeting #54bis ,Prague, Czech Republic, Sept 29th - Oct 3rd 2008
【発明の開示】
【発明が解決しようとする課題】
【０００９】
しかしながら、周波数分割中継では、基地局のサービス帯域と中継局のサービス帯域とが近い場合に、中継局の送信アンテナから送信した信号が、自局の受信アンテナに回り込む回り込み干渉が発生する。そのため、非特許文献１に記載される技術を、周波数分割中継にそのまま適用しても、必ずしも回り込み干渉の影響を低減することができるとは限らない。
【００１０】
特に、基地局又は中継局配下の移動局よりも、中継局の送信アンテナは、自局の受信アンテナに近い。したがって、周波数分割中継により、基地局から基地局配下の移動局又は中継局への下り回線に用いるサービス帯域（以下「基地局のサービス帯域」という）と、中継局から中継局配下の移動局への下り回線に用いるサービス帯域（以下「中継局のサービス帯域」という）とが隣接する場合には、中継局から移動局への送信信号が中継局の受信アンテナに回り込む干渉量が大きく、中継局の受信信号の品質を低下させてしまうという課題がある。
【００１１】
本発明はかかる点に鑑みてなされたものであり、周波数分割中継を用いる下り回線において、中継局の回り込み干渉の影響を低減させ、中継局の受信信号の品質低下を防止する送信方法及び基地局を提供することを目的とする。
【課題を解決するための手段】
【００１２】
本発明の送信方法は、基地局装置から中継局装置又は前記基地局装置配下の移動局装置への下り回線に用いられる第１の周波数帯域と、前記中継局装置から前記中継局装置配下の移動局装置への下り回線に用いられる第２の周波数帯域とが隣接する無線通信システムにおいて、前記基地局装置が前記中継局装置に制御信号を送信する送信方法であって、前記第１の周波数帯域の一部であって、前記第２の周波数帯域に隣接する周波数帯域を前記中継局装置のためのガードバンド帯域とし、前記第１の周波数帯域のうち前記カードバンド帯域外の第３の周波数帯域に、前記制御信号を割り当て、割り当て後の前記制御信号を前記中継局装置に送信するようにした。
【００１３】
本発明の基地局装置は、基地局装置から中継局装置又は前記基地局装置配下の移動局装置への下り回線に用いられる第１の周波数帯域と、前記中継局装置から前記中継局装置配下の移動局装置への下り回線に用いられる第２の周波数帯域とが隣接する無線通信システムに適用される基地局装置であって、前記第１の周波数帯域の一部であって、前記第２の周波数帯域に隣接する周波数帯域を前記中継局装置のためのガードバンド帯域とし、前記第１の周波数帯域のうち前記カードバンド帯域外の第３の周波数帯域に、制御信号を割り当てる割当手段と、割り当て後の前記制御信号を前記中継局装置に送信する送信手段と、を具備する構成を採る。
【発明の効果】
【００１４】
本発明によれば、周波数分割中継を用いる下り回線において、中継局の回り込み干渉の影響を低減させ、中継局の受信信号の品質低下を防止することができる。
【発明を実施するための最良の形態】
【００１５】
以下、本発明の実施の形態について、図面を参照して詳細に説明する。
【００１６】
各実施の形態における無線通信システムには、図２に示すように、基地局、移動局、及び、基地局から移動局への送信信号を中継する中継局が存在する。中継局は、基地局からの送信信号を移動局へ中継送信する。なお、以下では、基地局から中継局に送信された信号を、中継局が移動局に送信する２ホップ中継について説明する。また、基地局のサービス帯域と、中継局のサービス帯域とが隣接する場合について説明する（図３参照）。また、無線通信システムには、ＬＴＥ（Long Term Evolution）の移動局とＬＴＥ−Ａｄｖａｎｃｅｄの移動局とが混在して存在する場合を想定する。
【００１７】
（実施の形態１）
ＬＴＥシステムにおいて、基地局は、下り回線データのリソース割当結果を通知するための制御信号を基地局配下の移動局又は中継局に送信する。この制御信号は、例えばＬ１／Ｌ２ＣＣＨ（L1/L2 Control Channel）等の下り回線制御チャネルを用いて基地局配下の移動局又は中継局に送信される。
【００１８】
各Ｌ１／Ｌ２ＣＣＨは、１つ又は複数のＣＣＥ（Control Channel Element）に配置される。基地局は、Ｌ１／Ｌ２ＣＣＨが配置されるＣＣＥに対応するＰＤＣＣＨ（Physical Downlink Control Channel）に制御信号をマッピングする。ＰＤＣＣＨは、制御チャネルであり、全周波数帯域上に拡散されて配置される。
【００１９】
図４は、ＬＴＥシステムの下り回線における移動局用ＰＤＣＣＨのＣＣＥの配置例である。図４において、四角枠で囲まれた領域は、ＲＥＧ（Resource Element Group）を示し、また、＃０〜＃３は、各ＰＤＣＣＨが対応するＣＣＥ番号を示す。図４は、ＰＤＣＣＨが、９個のＲＥＧから構成される例である。ＰＤＣＣＨは、図４に示すように、周波数軸に拡散されて配置される。また、図４は、ＯＦＤＭシンボル数が３の場合の例である。ＰＤＣＣＨは、図４に示すように、時間軸上にも拡散されて配置される。なお、ＯＦＤＭシンボル数は、１〜３の間で可変であり、基地局は、ＰＣＦＩＣＨ（Physical Control Format Indicator Channel）を用いて、基地局配下の移動局又は中継局にＯＦＤＭシンボル数を通知する。
【００２０】
上述したように、ＰＤＣＣＨは、周波数軸上に拡散されて配置されるので、中継局が回り込み干渉を受けると、中継局用の制御信号が配置されるＰＤＣＣＨの一部を受信することが困難となる場合がある。中継局は、制御信号の受信に失敗すると、リソースを割り当てられたことが分からずに、データの送信および受信が困難となる。
【００２１】
そこで、本実施の形態では、中継局が回り込み干渉の影響を受ける場合においても、中継局が制御信号を受信することができるように、基地局は、中継局が受ける回り込み干渉の影響が低い帯域に配置されるＰＤＣＣＨを用いて、中継局用の制御信号を送信する。
【００２２】
具体的には、本実施の形態では、中継局用の制御信号を、中継局のサービス帯域から離れた帯域に配置されるＰＤＣＣＨに割り当てる。例えば、図３に示すように、基地局から中継局又は基地局配下の移動局への下り回線に用いられる（同図の基地局のサービス帯域に該当する第１の周波数帯域）の一部であって、中継局のサービス帯域（第２の周波数帯域）に隣接する周波数帯域を、中継局のためのガードバンド帯域とし、基地局のサービス帯域のうちガードバンド帯域外であって、中継局のサービス帯域と隣接しない周波数帯域（第３の周波数帯域）に配置されるＰＤＣＣＨに中継局用の制御信号を割り当てる。なお、図３は、中継局のサービス帯域が基地局のサービス帯域の高周波数側に隣接している場合の例である。
【００２３】
このように、本実施の形態では、中継局の回り込みの影響が低い帯域に配置されるＰＤＣＣＨを用いて、中継局用の制御信号を送信する。そのため、本実施の形態では、ＬＴＥの移動局用ＰＤＣＣＨのＣＣＥの配置に変更を加えて、中継局用ＰＤＣＣＨのＣＣＥの配置を設定する。
【００２４】
［配置例＃１］
図５を用いて、本実施の形態における中継局用ＰＤＣＣＨのＣＣＥの配置について説明する。図５に示す中継局用ＰＤＣＣＨのＣＣＥの配置例＃１は、図４のＬＴＥの移動局用ＰＤＣＣＨのＣＣＥの配置に変更を加えて得た配置例である。なお、図４は、図３に示すように、中継局のサービス帯域が基地局のサービス帯域の高周波数側に隣接する場合の配置例である。
【００２５】
図５に示す例では、基地局のサービス帯域のうちガードバンド帯域外の周波数帯域に含まれるＬＴＥの移動局用ＰＤＣＣＨのＣＣＥ＃０及びＣＣＥ＃１を組み合わせて、中継局用ＰＤＣＣＨのＣＣＥ＃０とする。図５において、丸で囲まれたＣＣＥ＃０が配置されているＲＥＧは、変更前の図４では、ＬＴＥの移動局用ＰＤＣＣＨのＣＣＥ＃１が配置されていたＲＥＧである。
【００２６】
このようにして、基地局のサービス帯域においてＬＴＥの移動局用ＰＤＣＣＨが配置されるＣＣＥのうち、ガードバンド帯域外の周波数帯域に含まれるＣＣＥであって、異なるＣＣＥ番号のＣＣＥを組み合わせて、中継局用ＰＤＣＣＨのＣＣＥとする。そして、基地局は、図５に示す中継局用ＰＤＣＣＨのＣＣＥ＃０に中継局用の制御信号を割り当てて送信する。これにより、中継局の回り込み干渉の影響を低減することができるようになるため、中継局用の制御信号の受信品質の低下を回避することができるようになる。
【００２７】
中継局用ＰＤＣＣＨに割り当てるＣＣＥ数は可変にすることができる。例えば、図４において、基地局のサービス帯域に含まれるＣＣＥ＃２及びＣＣＥ＃３のうち、中継局のサービス帯域と隣接していないガードバンド帯域外の周波数帯域に含まれるＣＣＥを用いて、中継局用ＰＤＣＣＨのＣＣＥ＃２としても良い。
【００２８】
このようにして設定された中継局用ＰＤＣＣＨのＣＣＥの配置に従って、基地局から中継局用ＰＤＣＣＨが送信されることを、中継局に予め通知しておくことにより、中継局は、中継局用ＰＤＣＣＨのＣＣＥの配置に従ってブラインド判定をし、自局宛のＰＤＣＣＨを検索することができる。
【００２９】
更に、ガードバンド帯域内のＬＴＥの移動局用ＰＤＣＣＨのＣＣＥであって、中継局用ＰＤＣＣＨのＣＣＥを構成したＬＴＥの移動局用ＰＤＣＣＨのＣＣＥ番号のＣＣＥを組み合わせて、ＬＴＥ−Ａｄｖａｎｃｅｄシステムの移動局用ＰＤＣＣＨのＣＣＥとしても良い。これにより、ガードバンド帯域の有効利用が図れ、周波数利用効率を向上させることができる。
【００３０】
例えば、ＬＴＥの移動局用ＰＤＣＣＨのＣＣＥ＃０とＣＣＥ＃１とを組み合わせて、中継局用ＰＤＣＣＨのＣＣＥ＃０を構成した場合には、ガードバンド帯域内のＬＴＥの移動局用ＰＤＣＣＨのＣＣＥ＃０とＣＣＥ＃１とを組み合わせて、ＬＴＥ−Ａｄｖａｎｃｅｄの移動局用ＰＤＣＣＨのＣＣＥ＃１としても良い。図５において、丸で囲まれたＣＣＥ＃１が配置されているＲＥＧは、変更前の図４では、ＬＴＥの移動局用ＰＤＣＣＨのＣＣＥ＃０が配置されていたＲＥＧである。
【００３１】
このようにすることで、ガードバンド帯域にＣＣＥ＃１として９ＲＥＧを確保することができるので、ガードバンド帯域のＣＣＥ＃１をＬＴＥ−Ａｄｖａｎｃｅｄの移動局用ＰＤＣＣＨに用いることにより、ガードバンド帯域の有効利用が図れ、周波数利用効率を向上させることができる。
【００３２】
なお、ＬＴＥの移動局用ＰＤＣＣＨのＣＣＥの配置には変更が加えてられていないので、基地局配下のＬＴＥの移動局に対しては、基地局のサービス帯域をそのままサービス帯域として通知し、中継局用又はＬＴＥ−Ａｄｖａｎｃｅｄの移動局には割り当てられなかったＬＴＥの移動局用ＰＤＣＣＨのＣＣＥを用いてＰＤＣＣＨを送信することができる。ＬＴＥの移動局は、ＬＴＥの移動局用ＰＤＣＣＨのＣＣＥの配置に従ってブラインド判定することにより、自局宛のＰＤＣＣＨを検索することができ、また、中継局用ＰＤＣＣＨ又はＬＴＥ−Ａｄｖａｎｃｅｄの移動局ＰＤＣＣＨに対しては、自局宛のＰＤＣＣＨでないと判定することができる。
【００３３】
このように、本実施の形態では、ＬＴＥシステムとの互換性を保ちつつ、中継局用ＰＤＣＣＨ又はＬＴＥ−Ａｄｖａｎｃｅｄの移動局ＰＤＣＣＨを送信することができるので、基地局配下のＬＴＥの移動局は、ガードバンド帯域が設けられた場合においても、周波数利用効率の低下を伴わずに既存の運用が行える。
【００３４】
なお、中継局用の制御信号がない場合には、中継局用ＰＤＣＣＨのＣＣＥ＃０を構成するＬＴＥの移動局用ＰＤＣＣＨのＣＣＥ＃０及びＣＣＥ＃１をそのままＬＴＥの移動局が用いるようにしても良い。
【００３５】
［配置例＃２及び配置例＃３］
配置例＃１では、中継局のためのガードバンド帯域が、基地局のサービス帯域の１／２であって、中継局用ＰＤＣＣＨのＣＣＥが配置される周波数帯域が、基地局のサービス帯域の１／２の場合について説明した。上述したように、中継局用ＰＤＣＣＨのＣＣＥが配置される周波数帯域は、基地局のサービス帯域のうち中継局のためのガードバンド帯域外の周波数帯域である。ガードバンド帯域とする中継局の回り込み干渉を受ける周波数帯域は、一定でなく、伝搬環境等に応じて変動する。そこで、以下では、中継局のためのガードバンド帯域幅を可変とする場合の中継局用ＰＤＣＣＨのＣＣＥの配置例＃２及び配置例＃３について説明する。
【００３６】
なお、配置例＃２及び配置例＃３は、中継局のためのガードバンド帯域が基地局のサービス帯域の（Ｎ−Ｍ）／Ｎ倍（Ｎ＞Ｍ）の場合、すなわち、中継局用ＰＤＣＣＨのＣＣＥが配置される周波数帯域が、基地局のサービス帯域のＭ／Ｎ倍の場合の例である。また、配置例＃２及び配置例＃３は、図３に示したように、中継局のサービス帯域が基地局のサービス帯域の高周波数側に隣接する場合の例である。
【００３７】
図６に、配置例＃２を示す。図６の配置例＃２は、Ｎ＝９、Ｍ＝３であり、（Ｎ−Ｍ）／Ｎ＝２／３の場合、すなわち、中継局用ＰＤＣＣＨのＣＣＥが配置される周波数帯域が、基地局のサービス帯域の１／３倍の場合の例である。
【００３８】
図６に示す例では、基地局のサービス帯域のうちガードバンド帯域外の周波数帯域に含まれるＬＴＥの移動局用ＰＤＣＣＨのＣＣＥ＃０、ＣＣＥ＃１及びＣＣＥ＃２を組み合わせて、中継局用ＰＤＣＣＨのＣＣＥ＃０とする。図６において、丸で囲まれたＣＣＥ＃０が配置されているＲＥＧは、変更前の図４では、ＬＴＥの移動局用ＰＤＣＣＨのＣＣＥ＃１が配置されていたＲＥＧである。また、図６において、二重丸で囲まれたＣＣＥ＃０が配置されているＲＥＧは、変更前の図４では、ＬＴＥの移動局用ＰＤＣＣＨのＣＣＥ＃２が配置されていたＲＥＧである。
【００３９】
図７に、配置例＃３を示す。図７の配置例＃３は、Ｎ＝９、Ｍ＝６であり、（Ｎ−Ｍ）／Ｎ＝１／３の場合、すなわち、中継局用ＰＤＣＣＨのＣＣＥが配置される周波数帯域が、基地局のサービス帯域の２／３倍の場合の例である。
【００４０】
図７に示す例では、基地局のサービス帯域のうちガードバンド帯域外の周波数帯域に含まれるＬＴＥの移動局用ＰＤＣＣＨのＣＣＥ＃０及びＣＣＥ＃１を組み合わせて、中継局用ＰＤＣＣＨのＣＣＥ＃０とし、ＬＴＥの移動局用ＰＤＣＣＨのＣＣＥ＃０及びＣＣＥ＃２を組み合わせて、中継局用ＰＤＣＣＨのＣＣＥ＃１とする。
【００４１】
図７において、丸で囲まれたＣＣＥ＃０が配置されているＲＥＧは、変更前の図４では、ＬＴＥの移動局用ＰＤＣＣＨのＣＣＥ＃２が配置されていたＲＥＧである。また、図７において、丸で囲まれたＣＣＥ＃１が配置されているＲＥＧは、変更前の図４では、ＬＴＥの移動局用ＰＤＣＣＨのＣＣＥ＃２が配置されていたＲＥＧである。
【００４２】
このように、中継局のためのガードバンド帯域が基地局のサービス帯域の（Ｎ−Ｍ）／Ｎ倍（Ｎ＞Ｍ）の場合、すなわち、中継局用ＰＤＣＣＨのＣＣＥを配置する周波数帯域を、基地局のサービス帯域のＭ／Ｎ（Ｍ／Ｎ＞０）とする場合、Ｎ個のＣＣＥ番号からＭ個のＣＣＥ番号を選択し、Ｎ個のＣＣＥ番号のＣＣＥに、選択したＭ個のＣＣＥ番号を割り当て、Ｍ個のＣＣＥ番号が割り当てられたＣＣＥを、中継局用のＣＣＥとする。
【００４３】
例えば、図６の例のように、中継局用ＰＤＣＣＨのＣＣＥを配置する周波数帯域を、基地局のサービス帯域の１／３とする場合、３個のＣＣＥ番号から１個のＣＣＥ番号を選択し、３個のＣＣＥ番号のＣＣＥに、選択した１個のＣＣＥ番号を割り当て、１個のＣＣＥ番号が割り当てられたＣＣＥを、中継局用ＰＤＣＣＨのＣＣＥとする。
【００４４】
また、図７の例のように、中継局用ＰＤＣＣＨのＣＣＥを配置する周波数帯域を、基地局のサービス帯域の２／３とする場合、３個のＣＣＥ番号から２個のＣＣＥ番号を選択し、３個のＣＣＥ番号のＣＣＥに、選択した２個のＣＣＥ番号を割り当て、２個のＣＣＥ番号が割り当てられたＣＣＥを、中継局用ＰＤＣＣＨのＣＣＥとする。
【００４５】
また、図５の配置例＃１は、中継局用ＰＤＣＣＨのＣＣＥを配置する周波数帯域が、基地局のサービス帯域の１／２の例であり、２個のＣＣＥ番号（ＣＣＥ＃０，ＣＣＥ＃１）から１個のＣＣＥ番号（ＣＣＥ＃０）を選択し、２個のＣＣＥ＃０，ＣＣＥ＃１に、選択した１個のＣＣＥ番号（＃０）を割り当て、１個のＣＣＥ番号（＃０）が割り当てられたＣＣＥを、中継局用ＰＤＣＣＨのＣＣＥとした。
【００４６】
このようにして、基地局のサービス帯域においてＬＴＥの移動局用ＰＤＣＣＨが配置されるＣＣＥのうち、ガードバンド帯域外の周波数帯域に含まれるＣＣＥであって、異なるＣＣＥ番号のＣＣＥを組み合わせて、中継局用ＰＤＣＣＨのＣＣＥとすることにより、ガードバンド帯域が変動するような場合においても、中継局用ＰＤＣＣＨを中継局の回り込み干渉の影響を受けにくい周波数帯域で送信することができるようになる。この結果、中継局用の制御信号の受信品質の低下を回避することができるようになる。
【００４７】
このとき、Ｍ／Ｎを、中継局の回り込み干渉が大きいほど小さくすると、中継局の回り込み干渉を受けにくい周波数帯域に配置されるＰＤＣＣＨを用いて、中継局用の制御信号を送信することができる。
【００４８】
基地局は、図６、図７に示すように配置された中継局用ＰＤＣＣＨのＣＣＥ＃０に対応する９ＲＥＧに中継局用の制御信号を割り当て送信する。
【００４９】
なお、このとき、配置例＃１と同様に、ガードバンド帯域内のＬＴＥの移動局用ＰＤＣＣＨのＣＣＥであって、中継局用ＰＤＣＣＨのＣＣＥを構成したＬＴＥの移動局用ＰＤＣＣＨのＣＣＥ番号のＣＣＥを組み合わせて、ＬＴＥ−Ａｄｖａｎｃｅｄシステムの移動局用ＰＤＣＣＨのＣＣＥとしても良い。
【００５０】
具体的には、中継局用ＰＤＣＣＨのＣＣＥ＃０を構成したＬＴＥの移動局用ＰＤＣＣＨのＣＣＥ＃０，ＣＣＥ＃１，ＣＣＥ＃２のうち、ガードバンド帯域内のＬＴＥの移動局用ＰＤＣＣＨのＣＣＥを組み合わせて、ＬＴＥ−Ａｄｖａｎｃｅｄ移動局用ＰＤＣＣＨのＣＣＥ＃１及びＣＣＥ＃２を構成することができる。
【００５１】
例えば、図６において、丸で囲まれたＣＣＥ＃１が配置されているＲＥＧは、変更前の図４では、ＬＴＥの移動局用ＰＤＣＣＨのＣＣＥ＃０が配置されていたＲＥＧである。また、図６において、丸で囲まれたＣＣＥ＃２が配置されているＲＥＧは、変更前の図４では、ＬＴＥの移動局用ＰＤＣＣＨのＣＣＥ＃０が配置されていたＲＥＧである。また、図７において、丸で囲まれたＣＣＥ＃２が配置されているＲＥＧは、変更前の図４では、ＬＴＥの移動局用ＰＤＣＣＨのＣＣＥ＃０が配置されていたＲＥＧである。また、図７において、二重丸で囲まれたＣＣＥ＃２が配置されているＲＥＧは、変更前の図４では、ＬＴＥの移動局用ＰＤＣＣＨのＣＣＥ＃１が配置されていたＲＥＧである。このようにすることで、ガードバンド帯域の有効利用が図れ、周波数利用効率を向上させることができる。
【００５２】
［配置例＃４］
図８に、配置例＃４を示す。図８の配置例＃４は、図９に示すように、基地局のサービス帯域の両側に中継局のサービス帯域がある場合の中継局用ＰＤＣＣＨのＣＣＥの配置例である。具体的には、図８の配置例＃４は、図９に示すように、基地局のサービス帯域の低周波側に中継局＃１のサービス帯域が隣接し、基地局のサービス帯域の高周波側に中継局＃２のサービス帯域が隣接し、中継局＃１の回り込み干渉及び中継局＃２の回り込み干渉が、基地局のサービス帯域のそれぞれ１／２に及ぶ場合の中継局用ＰＤＣＣＨのＣＣＥの配置例である。以下、中継局＃１の回り込み干渉の影響が及ぶ周波数帯域を第１ガードバンド帯域と呼び、中継局＃２の回り込み干渉の影響が及ぶ周波数帯域を第２ガードバンド帯域と呼ぶ。
【００５３】
図８に示す例では、基地局のサービス帯域のうち第１ガードバンド帯域外の周波数帯域に含まれるＬＴＥの移動局用ＰＤＣＣＨのＣＣＥ＃０及びＣＣＥ＃１を組み合わせて、中継局＃１用ＰＤＣＣＨのＣＣＥ＃１とする。図８において、丸で囲まれたＣＣＥ＃１が配置されているＲＥＧは、変更前の図４では、ＬＴＥの移動局用ＰＤＣＣＨのＣＣＥ＃０が配置されていたＲＥＧである。
【００５４】
また、基地局のサービス帯域のうち第２ガードバンド帯域外の周波数帯域に含まれるＬＴＥの移動局用ＰＤＣＣＨのＣＣＥ＃０及びＣＣＥ＃１を組み合わせて、中継局＃２用ＰＤＣＣＨのＣＣＥ＃０とする。図８において、丸で囲まれたＣＣＥ＃０が配置されているＲＥＧは、変更前の図４では、ＬＴＥの移動局用ＰＤＣＣＨのＣＣＥ＃１が配置されていたＲＥＧである。
【００５５】
このような配置とすることにより、自局のガードバンド帯域外に配置されるＰＤＣＣＨが用いられて自局宛の制御信号が送信されるようになるので、中継局＃１及び中継局＃２は、それぞれ自局宛てのＰＤＣＣＨを受信することができるようになる。
【００５６】
なお、配置例＃４は、配置例＃１において、ＬＴＥ−Ａｄｖａｎｃｅｄ用ＰＤＣＣＨに割り当てることとしたＣＣＥ＃１を中継局＃１用ＰＤＣＣＨのＣＣＥとして割り当てたことになる。
【００５７】
以上のように、本実施の形態によれば、基地局から中継局又は基地局配下の移動局への下り回線に用いられる帯域（第１の周波数帯域）と、中継局から中継局配下の移動局への下り回線に用いられる帯域（第２の周波数帯域）とが隣接する場合に、第１の周波数帯域の一部であって、第２の周波数帯域に隣接する周波数帯域を中継局のためのガードバンド帯域とし、第１の周波数帯域のうちカードバンド帯域外の周波数帯域（第３の周波数帯域）に、中継局の制御信号を割り当てるようにした。
【００５８】
また、中継局のためのガードバンド帯域が第１の周波数帯域の（Ｎ−Ｍ）／Ｎ倍（Ｎ＞Ｍ）の場合、すなわち、中継局用ＰＤＣＣＨのＣＣＥを配置する周波数帯域を、第１の周波数帯域のＭ／Ｎ（Ｍ／Ｎ＞０）とする場合、Ｎ個のＣＣＥ番号からＭ個のＣＣＥ番号を選択し、Ｎ個のＣＣＥ番号のＣＣＥに、選択したＭ個のＣＣＥ番号を割り当て、Ｍ個のＣＣＥ番号が割り当てられたＣＣＥを、中継局用のＣＣＥとするようにした。
【００５９】
これにより、ガードバンド帯域が変動するような場合においても、中継局用ＰＤＣＣＨを中継局の回り込み干渉の影響を受けにくい周波数帯域で送信することができるようになるため、中継局用の制御信号の受信品質の低下を回避することができるようになる。
【００６０】
なお、中継局のためのガードバンド帯域に閾値を設け、例えば、中継局のためのガードバンド帯域が、第１の周波数帯域の１／２未満の場合、すなわち、Ｍ／Ｎ≧Ｌ（１＞Ｌ＞１／２）の場合、ＣＣＥの再構成を行わず、第１の周波数帯域のうち、中継局のためのガードバンド帯域外の周波数帯域に含まれるＣＣＥに対応するＰＤＣＣＨを用いて、中継局用の制御信号を送信するようにして、本実施の形態と組み合わせるようにしても良い。
【００６１】
例えば、中継局のためのガードバンド帯域が、第１の周波数帯域の３／１８（Ｍ／Ｎ＝１５／１８）であり、回り込み干渉の影響を受ける帯域が比較的少ない場合には、第１の周波数帯域のうちガードバンド帯域外の周波数帯域に配置されるＬＴＥの移動局用ＰＤＣＣＨのＣＣＥに対応するＰＤＣＣＨのみを用いて、中継局用の制御信号を送信する。このようにすると、中継局用の制御信号を割り当てることができるＰＤＣＣＨ数が少なくなるものの、基地局と中継局との間の回線品質が良好な場合には、既存のＬＴＥの移動局用ＰＤＣＣＨのＣＣＥの配置をそのまま中継局用ＰＤＣＣＨのＣＣＥの配置としつつ、所望の受信品質を達成できることがある。
【００６２】
（実施の形態２）
実施の形態１では、中継局用ＰＤＣＣＨの配置について説明した。本実施の形態では、中継局用ＰＨＩＣＨ（Physical Hybrid ARQ Indicator Channel）の配置について説明する。ＬＴＥにおいて、ＰＨＩＣＨは、上り信号に対するＡＣＫ／ＮＡＣＫを送信するための制御チャネルであり、３ＲＥＧで構成される。
【００６３】
図１０は、本実施の形態における中継局用ＰＨＩＣＨの配置例を説明するための図である。図１０において、四角枠はＲＥＧを表し、＃ｉ（ｉ＝０〜３）が付されたＲＥＧは、ＬＴＥの移動局用ＰＨＩＣＨ＃ｉを構成するＲＥＧを示す。図１０に示すように、周波数拡散前の各ＰＨＩＣＨ＃０〜＃３は、３つのＲＥＧから構成され、３つのＲＥＧから構成されるＰＨＩＣＨ＃０〜＃３は、ＰＤＣＣＨと同様に、周波数軸上で拡散される。図１０に、周波数拡散後のＰＨＩＣＨ＃０〜＃３を示す。なお、各ＰＨＩＣＨは、第１ＯＦＤＭシンボルに拡散される。また、各ＰＨＩＣＨは、図１０に示すように、基地局のサービス帯域の低周波数側、中央及び高周波数側の３つの周波数帯域に拡散される。このとき、ＰＨＩＣＨ＃ｉ（ｉ＝０〜３）は、＃０＃１＃２＃３の順に規則的に３つの周波数帯域に配置されるように周波数軸上で拡散される。
【００６４】
図１０に示すＬＴＥの移動局用ＰＨＩＣＨの配置を、中継局に対しそのまま適用すると、自局の回り込み干渉の影響により、中継局がＰＨＩＣＨを受信することが困難となる帯域がある。
【００６５】
そこで、本実施の形態では、中継局が回り込み干渉の影響を受ける場合においても、中継局が制御信号を受信することができるように、基地局は、中継局が受ける回り込み干渉の影響が低い帯域に配置されるＰＨＩＣＨを用いて、中継局用の制御信号を送信する。
【００６６】
具体的には、本実施の形態では、中継局用の制御信号を、中継局のサービス帯域から離れた帯域に配置されるＰＨＩＣＨに割り当てる。例えば、基地局のサービス帯域のうちガードバンド帯域外であって、中継局のサービス帯域と隣接しない周波数帯域に配置されるＰＨＩＣＨに中継局用の制御信号を割り当てる。
【００６７】
このように、本実施の形態では、中継局の回り込みの影響が低い帯域に配置されるＰＨＩＣＨを用いて、中継局用の制御信号を送信する。そのため、本実施の形態では、ＬＴＥの移動局用ＰＨＩＣＨの配置に変更を加えて、中継局用ＰＨＩＣＨの配置を設定する。
【００６８】
図１０を用いて、本実施の形態における中継局用ＰＨＩＣＨの配置について説明する。図１０に示す中継局用ＰＨＩＣＨの配置は、図１０のＬＴＥの移動局用ＰＨＩＣＨの配置に変更を加えて得た配置例である。なお、以下では、図３に示すように、中継局のサービス帯域が基地局のサービス帯域の低周波数側に隣接し、基地局のサービス帯域の高周波数側が、中継局のガードバンド帯域である場合を例に説明する。
【００６９】
図１０に示す例では、基地局のサービス帯域のうちガードバンド帯域外の周波数帯域に配置されていたＬＴＥの移動局用ＰＨＩＣＨ＃０のＲＥＧ及びＰＨＩＣＨ＃３のＲＥＧを組み合わせて、中継局用ＰＨＩＣＨのＰＨＩＣＨ＃０を構成する。図１０において、丸で囲まれたＰＨＩＣＨ＃０が配置されているＲＥＧは、変更前のＬＴＥの移動局用の第１ＯＦＤＭシンボルでは、ＰＨＩＣＨ＃３が配置されていたＲＥＧである。
【００７０】
このようにして、基地局のサービス帯域においてＬＴＥの移動局用ＰＨＩＣＨが配置されるＲＥＧのうち、ガードバンド帯域外の周波数帯域に含まれるＲＥＧであって、異なるＬＴＥの移動局用ＰＨＩＣＨが配置されていたＲＥＧを組み合わせて、中継局用ＰＨＩＣＨを構成する。そして、基地局は、例えば、図１０に示す中継局用ＰＨＩＣＨ＃０に中継局用の制御信号を割り当てて送信する。これにより、中継局の回り込み干渉の影響を低減することができるようになるため、中継局用の制御信号の受信品質の低下を回避することができるようになる。
【００７１】
以上、周波数拡散後のＬＴＥの移動局用ＰＨＩＣＨの配置を変更して、中継局用ＰＨＩＣＨの配置を設定する場合について説明した。上述したように、ＰＨＩＣＨ＃０〜＃３を構成するＲＥＧ＃０〜＃３は、周波数軸上に＃０＃１＃２＃３の順に規則的に拡散される。そのため、周波数拡散前の移動局用ＰＨＩＣＨの配置を予め変更して、中継局用ＰＨＩＣＨの配置としても良い。
【００７２】
図１１に具体例を示す。図１１において、縦軸はｃｏｄｅを示し、横軸は、ＲＥＧを示す。ｃｏｄｅ０〜ｃｏｄｅ７を用いて符号化多重することにより、ＰＨＩＣＨに８ユーザ分の制御信号を多重することができる。図１１は、ｃｏｄｅ０〜ｃｏｄｅ７のうち、ｃｏｄｅ３及びｃｏｄｅ６が中継局用ＰＨＩＣＨに用いられ、ｃｏｄｅ３又はｃｏｄｅ６以外のｃｏｄｅ０，ｃｏｄｅ１，ｃｏｄｅ２，ｃｏｄｅ４，ｃｏｄｅ５，ｃｏｄｅ７は、ＬＴＥの移動局用ＰＨＩＣＨに用いられる場合の例である。図１１において、ＰＨＩＣＨ＃ｉ（ｉ＝０〜３）は、各ＲＥＧに対応するＬＴＥの移動局用ＰＨＩＣＨである。
【００７３】
周波数拡散後の中継局用ＰＨＩＣＨの第１ＯＦＤＭシンボルの配置が、図１０に示すようになるように、ｃｏｄｅ３及びｃｏｄｅ６では、中継局用ＰＨＩＣＨ＃０及び中継局用ＰＨＩＣＨ＃３を配置するＲＥＧの一部を入れ替える。
【００７４】
具体的には、図１１において、丸で囲まれたＣＣＥ＃０の位置に、ＰＨＩＣＨ＃０に配置される制御信号の一部を割り当てる。また、丸で囲まれたＣＣＥ＃３の位置に、ＰＨＩＣＨ＃３に配置される制御信号の一部を割り当てる。周波数拡散前の配置を図１１のようにすることで、周波数拡散後の配置が、図１０に示した中継局用第１ＯＦＤＭシンボルの配置のようになり、基地局は、中継局が受ける回り込み干渉の影響が低い帯域に配置されるＰＨＩＣＨを用いて、中継局用の制御信号を送信することができるようになる。
【００７５】
このようにして、周波数拡散前のＰＨＩＣＨ＃ｉ（ｉ＝０〜３）を構成するＲＥＧ＃ｉの並びを変更することにより、ガードバンド帯域外の周波数帯域に含まれるＲＥＧを組み合わせて、中継局用ＰＨＩＣＨを構成することができる。
【００７６】
更に、ガードバンド帯域内のＬＴＥの移動局用ＰＨＩＣＨが配置されていたＲＥＧであって、中継局用ＰＨＩＣＨが配置されたＲＥＧに元々配置されていたＬＴＥの移動局用ＰＨＩＣＨを構成するＲＥＧを組み合わせて、ＬＴＥ−Ａｄｖａｎｃｅｄシステムの移動局用ＰＨＩＣＨのとすると、ガードバンド帯域の有効利用が図れ、周波数利用効率を向上させることができる。
【００７７】
（実施の形態３）
本実施の形態では、中継局用ＰＣＦＩＣＨの配置について説明する。
【００７８】
ＬＴＥにおいて、ＰＣＦＩＣＨは、ＰＤＣＣＨ領域のＯＦＤＭシンボル数を通知するための制御チャネルである。ＰＤＣＣＨ領域のＯＦＤＭシンボル数は、サービス帯域幅によって異なり、サービス帯域幅が広い場合には、１〜３ＯＦＤＭシンボルのいずれかが通知され、サービス帯域幅が狭い場合には、２〜４ＯＦＤＭシンボルのいずれかが通知される。そのため、中継局は、第１ＯＦＤＭシンボルで、ＰＣＦＩＣＨを受信する必要がある。
【００７９】
図１２に、ＬＴＥの移動局用ＰＣＦＩＣＨの配置を示す。ＰＣＦＩＣＨは、４ＲＥＧで構成され、また、第１ＯＦＤＭシンボルで送信される。図１２において、四角枠はＲＥＧを表し、＃０，＃１，＃２は、ＰＤＣＣＨのＣＣＥ番号を示す。なお、図１２に示すように、ＬＴＥの移動局用ＰＣＦＩＣＨは周波数拡散される。ＬＴＥでは、ＰＣＦＩＣＨが配置される４つのＲＥＧは、例えば、図１２に示すように、基地局ごとに位置が固定に定められている。
【００８０】
そのため、図１２のＬＴＥの中継局用ＰＣＦＩＣＨの配置を、中継局に対しそのまま適用すると、自局の回り込み干渉の影響により、中継局がＰＣＦＩＣＨを受信することが困難となる帯域がある。しかし、ＬＴＥでは、ＰＣＦＩＣＨが配置される４つのＲＥＧは、基地局ごとに固定に定められている。
【００８１】
そこで、本実施の形態では、ＬＴＥの移動局用ＰＣＦＩＣＨの既存の配置には変更を加えず、中継局用ＰＣＦＩＣＨを追加する。具体的には、中継局が受ける回り込み干渉の影響が低い帯域に、中継局用ＰＣＦＩＣＨを追加して配置する。
【００８２】
［配置例＃５］
本実施の形態における中継局用ＰＣＦＩＣＨの配置例＃５を図１３に示す。図１３に示す例は、中継局のサービス帯域が基地局のサービス帯域の高周波数側に隣接している場合の例である。
【００８３】
図１３に示す配置例＃５は、第１ＯＦＤＭシンボルの左から７番目のＲＥＧに中継局用ＰＣＦＩＣＨを配置した例である。図１３において、中継局用ＰＣＦＩＣＨが配置されたＲＥＧは、図１２では、ＬＴＥの移動局用ＰＤＣＣＨのＣＣＥ＃１が配置されていたＲＥＧである。
【００８４】
このようにして、基地局のサービス帯域のうちガードバンド帯域外の周波数帯域に中継局用ＰＣＦＩＣＨを追加して配置することにより、中継局は、ガードバンド帯域外の周波数帯域で３つのＰＣＦＩＣＨを受信することができるようになるので、ＰＤＣＣＨ領域のＯＦＤＭシンボル数の情報を取得することができる可能性が高くなる。すなわち、基地局のサービス帯域のうちガードバンド帯域外の周波数帯域に中継局用ＰＣＦＩＣＨを追加して配置することにより、中継局用ＰＣＦＩＣＨを追加しない場合に比べ、周波数ダイバーシチ効果を向上させることができる
【００８５】
なお、このようにして、ＬＴＥの移動局用ＰＤＣＣＨのＣＣＥ＃１が配置されていたＲＥＧに中継局用ＰＣＦＩＣＨを新たに追加して配置したことにより、図１２におけるＣＣＥ＃１を、ＬＴＥの移動局用ＰＤＣＣＨとして用いることができなくなる。
【００８６】
そこで、ＬＴＥの移動局用ＰＤＣＣＨのＣＣＥ＃１が配置されていたＲＥＧのうち、中継局用ＰＣＦＩＣＨが配置されなかったＲＥＧに、中継局用ＰＨＩＣＨを配置するようにしても良い。例えば、図１３において、丸で囲まれたＰＨＩＣＨが配置されているＲＥＧは、中継局用ＰＨＩＣＨが配置されているＲＥＧであり、変更前の図１２では、ＬＴＥの移動局用ＰＤＣＣＨのＣＣＥ＃１が配置されていたＲＥＧである。このようにして、ＬＴＥの移動局用ＰＤＣＣＨとしては利用することができなくなったＣＣＥ＃１のＲＥＧに、中継局用ＰＨＩＣＨを配置することにより、周波数リソースを有効利用することができ、チャネル利用効率を向上させることができる。
【００８７】
［配置例＃６］
配置例＃５では、第１ＯＦＤＭシンボルに、中継局用ＰＣＦＩＣＨを追加して配置した。具体的には、図１３では、ＬＴＥの移動局用ＰＤＣＣＨのＣＣＥ＃１のＲＥＧのうち、基地局のサービス帯域のうち中継局のためのガードバンド帯域外の周波数帯域のＲＥＧの１つに、中継局用ＰＣＦＩＣＨを配置した。
【００８８】
また、配置例＃５では、ＬＴＥの移動局用ＰＤＣＣＨのＣＣＥ＃１が配置されていたＲＥＧのうち、中継局用ＰＣＦＩＣＨが配置されなかったＲＥＧに、中継局用ＰＨＩＣＨを配置した。
【００８９】
これに対し、配置例＃６では、ＬＴＥの移動局用ＰＤＣＣＨのＣＣＥ＃１が配置されていたＲＥＧのうち、中継局用ＰＣＦＩＣＨが配置されなかったＲＥＧに、中継局用ＰＤＣＣＨを配置する。
【００９０】
図１４に、配置例＃６を示す。図１４において、丸で囲まれたＣＣＥ＃０が配置されているＲＥＧは、変更前の図１２では、ＬＴＥの移動局用ＰＤＣＣＨのＣＣＥ＃１が配置されていたＲＥＧである。
【００９１】
このようにすると、中継局用ＰＤＣＣＨのＣＣＥ＃０のＲＥＧ数は、ＰＣＦＩＣＨを配置したＲＥＧ１個分だけ少なくなるものの、基地局と中継局間の回線品質が、基地局と移動局間の回線品質と比較して高い場合には、十分な受信品質を得ることができる場合もある。したがって、ＬＴＥの移動局用ＰＤＣＣＨのＣＣＥ＃１が配置されていたＲＥＧのうち、中継局用ＰＣＦＩＣＨが配置されなかったＲＥＧに、中継局用ＰＨＩＣＨを配置することにより、チャネル利用効率を向上させることができる。
【００９２】
なお、配置例＃６は、実施の形態１の配置例＃１で説明した、中継局用ＰＤＣＣＨのＣＣＥ＃１のうちの１つのＲＥＧに、ＰＣＦＩＣＨに配置した場合の配置例といえる。
【００９３】
［配置例＃７］
配置例＃５及び配置例＃６では、第１ＯＦＤＭシンボルにおいて、ＬＴＥの移動局用ＰＤＣＣＨが配置されていたＲＥＧに、中継局用ＰＣＦＩＣＨを配置した。これに対し、配置例＃７では、第１ＯＦＤＭシンボルの空きＲＥＧに中継局用ＰＣＦＩＣＨを優先的に配置する。
【００９４】
ＬＴＥでは、移動局用ＰＤＣＣＨは、ＰＣＦＩＣＨ及びＰＨＩＣＨが配置されないＲＥＧに順次配置される。具体的には、移動局用ＰＤＣＣＨは、ＲＥ（Resource Element：リソースエレメント）番号が小さい順に、かつ、第１ＯＦＤＭシンボル、第２ＯＦＤＭシンボル、第３ＯＦＤＭシンボルの順に配置される。
【００９５】
ＲＥは、１ＯＦＤＭシンボルあたりの１サブキャリアの単位であり、１ＲＥＧは、４ＲＥで構成される。通常、移動局用ＰＤＣＣＨは、４ＲＥに連続して配置される。ただし、ＲＳ（Reference signal：参照信号）が送信されるＯＦＤＭシンボルでは、移動局用ＰＤＣＣＨが配置されるＲＥ間にＲＳを送信するＲＥが挿入される。ＲＳ用のＲＥは、ＰＤＣＣＨ用の３ＲＥに１つの割合で挿入される。したがって、ＲＳが挿入されるＯＦＤＭシンボルと、ＲＳが挿入されないＯＦＤＭシンボルとでは、ＰＤＣＣＨが配置されるＲＥＧ数が異なり、ＰＤＣＣＨが配置されるＲＥＧ数の比は、２：３となる。
【００９６】
なお、ＲＳは、アンテナ数によって挿入されるＯＦＤＭシンボル番号が異なる。具体的には、アンテナ数が２の場合には、ＲＳは第１ＯＦＤＭシンボルにのみ挿入され、第２、第３ＯＦＤＭシンボルには挿入されない。また、アンテナ数が４の場合には、ＲＳは、第１、第２ＯＦＤＭシンボルに挿入され、第３ＯＦＤＭシンボルには挿入されない。
【００９７】
したがって、アンテナ数が４の場合、ＲＳは、第１、第２ＯＦＤＭシンボルにのみ挿入され、第３ＯＦＤＭシンボルには挿入されないので、第３ＯＦＤＭシンボルのＰＤＣＣＨが配置されるＲＥＧ数は、第１、第２ＯＦＤＭシンボルのＰＤＣＣＨが配置されるＲＥＧ数の３／２となる。
【００９８】
図１５〜図１７に、アンテナ数が４の場合の中継局用ＰＣＦＩＣＨの配置例を示す。なお、図１５〜図１７に示す配置例は、これまでの配置例とは異なり、中継局のサービス帯域が基地局のサービス帯域の低周波数側に隣接する場合の配置例である。
【００９９】
また、図１５〜図１７において、上段は、ＬＴＥの移動局用の各チャネルの配置例であり、下段は、本実施の形態における中継局用の各チャネルの配置例＃７Ａ〜配置例＃７Ｃである。図１５〜図１７のＬＴＥの移動局用の各チャネルの配置例において、ＰＣＦＩＣＨは４ＲＥＧに配置され、ＰＨＩＣＨは３ＲＥＧに配置され、ＰＤＣＣＨ＃ｉ（ｉ＝０〜６）は、ＣＣＥ＃ｉを構成する９ＲＥＧに配置されている。このとき、ＰＤＣＣＨはＲＥ番号が小さい順に、かつ、第１ＯＦＤＭシンボル、第２ＯＦＤＭシンボル、第３ＯＦＤＭシンボルの順に、低周波数側から順次詰めて配置される。
【０１００】
上述したように、中継局は、ＰＤＣＣＨ領域のＯＦＤＭシンボル数の情報を取得するために、ＰＣＦＩＣＨを第１ＯＦＤＭシンボルで受信する必要がある。そこで、図１５〜図１７の配置例＃７Ａ〜配置例＃７Ｃでも、中継局用ＰＣＦＩＣＨを、第１ＯＦＤＭシンボルに追加して配置する。
【０１０１】
図１５に示す配置例＃７Ａは、ＰＤＣＣＨ領域のＯＦＤＭシンボル数が１の場合の各チャネルの配置例である。なお、ＰＤＣＣＨは、上述の配置規則に従い、低周波数側から順次詰めて配置される。ＰＤＣＣＨが低周波数側から順次詰めて配置されることにより、高周波数側にＰＣＦＩＣＨ、ＰＨＩＣＨ及びＰＤＣＣＨのいずれもが配置されない空き領域のＲＥＧ（以下、空きＲＥＧと省略する）ができる。例えば、図１５に示す配置例では、第１ＯＦＤＭシンボルの高周波数側の３ＲＥＧは、空きＲＥＧとなる。この空きＲＥＧ数及び位置については、次のようにして取得することができる。
【０１０２】
ＰＣＦＩＣＨのＲＥＧ数は固定で４ＲＥＧであり、ＰＨＩＣＨのＲＥＧ数は３ＲＥＧ×ＰＨＩＣＨ数である。また、ＰＤＣＣＨは９ＲＥＧ数×ＰＤＣＣＨ数である。したがって、空きＲＥＧ数は、全ＲＥＧ数−４ＲＥＧ−３ＲＥＧ×ＰＨＩＣＨを９で除算した余りとなる。例えば、図１５の例では、（２０ＲＥＧ−４ＲＥＧ−３ＲＥＧ）ｍｏｄ  ９＝３ＲＥＧとなるので、空きＲＥＧ数は３と分かる。ＰＨＩＣＨ数及びＰＤＣＣＨ数は制御信号で通知されるので、基地局は、空きＲＥＧ数及び位置について取得することができる。
【０１０３】
そこで、配置例＃７Ａでは、ＰＤＣＣＨ領域のＯＦＤＭシンボル数が１の第１ＯＦＤＭシンボルにおいて、空きＲＥＧとなる高周波数側のＲＥＧに、中継局用ＰＣＦＩＣＨを優先的に配置する（図１５参照）。これにより、中継局用ＰＣＦＩＣＨとＬＴＥの移動局用ＰＤＣＣＨとの衝突が回避される。
【０１０４】
図１６に示す配置例＃７Ｂは、ＰＤＣＣＨ領域のＯＦＤＭシンボル数が２の場合の各チャネルの配置例である。図１６の例では、全ＲＥＧ数が４０であり、ＰＣＦＩＣＨ数が４であり，ＰＨＩＣＨ数が３であるので、（４０ＲＥＧ−４ＲＥＧ−３ＲＥＧ）ｍｏｄ  ９＝６ＲＥＧより、空きＲＥＧ数が６存在する。
【０１０５】
そこで、配置例＃７Ａと同様に、第１ＯＦＤＭシンボルの空きＲＥＧとなる高周波数側のＲＥＧに、中継局用ＰＣＦＩＣＨを優先的に配置する（図１６参照）。中継局用ＰＣＦＩＣＨを空きＲＥＧに追加して配置することにより、中継局用ＰＣＦＩＣＨとＰＤＣＣＨとの衝突が回避される。
【０１０６】
図１７に示す配置例＃７Ｃは、ＰＤＣＣＨ領域のＯＦＤＭシンボル数が３の場合の各チャネルの配置例である。図１７の例では、全ＲＥＧ数が６０であり、ＰＣＦＩＣＨ数が４であり、ＰＨＩＣＨ数が３であるので、（６０ＲＥＧ−４ＲＥＧ−３ＲＥＧ）ｍｏｄ  ９＝０ＲＥＧより、空きＲＥＧ数が０となる。
【０１０７】
そこで、配置例＃７Ｃでは、第１ＯＦＤＭシンボルの高周波数側のＲＥＧに、中継局用ＰＣＦＩＣＨを優先的に配置する（図１７参照）。
【０１０８】
なお、上述のＰＤＣＣＨの配置規則に従うと、空きＲＥＧは高周波数側、すなわち、ＲＥ番号が大きい帯域に集中する。したがって、ＰＤＣＣＨ領域のＯＦＤＭシンボル数が１又は２の場合にも、第１ＯＦＤＭシンボルの高周波数側に中継局用ＰＣＦＩＣＨを優先的に配置することにより、中継局用ＰＣＦＩＣＨが空きＲＥＧに配置される可能性が高くなる。
【０１０９】
なお、図１７の配置例＃７Ｃにおいて、中継局用ＰＣＦＩＣＨを追加して配置したＲＥＧは、ＬＴＥの移動局用ＰＤＣＣＨのＣＣＥ＃４が配置されていたＲＥＧである。すなわち、図１７の配置例＃７Ｃは、第１ＯＦＤＭシンボルに空きＲＥＧがないため、中継局用ＰＣＦＩＣＨが、元々ＬＴＥの移動局用ＰＤＣＣＨのＣＣＥ＃４が配置されていた高周波数側のＲＥＧに追加された例である。
【０１１０】
このようにして、ＬＴＥの移動局用ＰＤＣＣＨのＣＣＥ＃４が配置されていた高周波数側のＲＥＧに中継局用ＰＣＦＩＣＨを新たに追加して配置すると、ＬＴＥの移動局用ＰＤＣＣＨのＣＣＥ＃４が配置されていたＲＥＧをＬＴＥの移動局用ＰＤＣＣＨとして用いることができなくなる。
【０１１１】
そこで、図１７に示す配置例＃７Ｃのように、ＬＴＥの移動局用ＰＤＣＣＨのＣＣＥ＃４が配置されていたＲＥＧのうち、中継局用ＰＣＦＩＣＨが配置されなかったＲＥＧに、中継局用ＰＨＩＣＨを配置するようにしても良い。図１７に示す配置例＃７Ｃにおいて、丸で囲まれたＰＨＩＣＨが配置されているＲＥＧは、中継局用ＰＨＩＣＨが新たに配置されたＲＥＧであり、元々ＬＴＥの移動局用ＰＤＣＣＨのＣＣＥ＃４が配置されていたＲＥＧである。このようにして、ＬＴＥの移動局用ＰＤＣＣＨとしては利用することができなくなったＣＣＥ＃４のＲＥＧに、中継局用ＰＨＩＣＨを配置することにより、周波数リソースを有効利用することができ、チャネル利用効率を向上させることができる。
【０１１２】
例えば、図１７に示す配置例＃７Ｃでは、中継局のためのガードバンド帯域外において、ＬＴＥの移動局用ＰＤＣＣＨのＣＣＥ＃４が配置されていたＲＥＧのうち、中継局用ＰＣＦＩＣＨが配置されなかった残りの４つのＲＥＧに、中継局用ＰＨＩＣＨが配置されている。なお、移動局用ＰＨＩＣＨのＲＥＧ数は３であるが、中継局用ＰＨＩＣＨのＲＥＧ数を必ずしも３にする必要はなく、中継局用ＰＨＩＣＨが配置可能なＲＥＧ数が４ＲＥＧの場合には、４つのＲＥＧの全てに中継局用ＰＨＩＣＨを配置しても良いし、３つのＲＥＧだけに中継局用ＰＨＩＣＨを配置しても良い。また、２ＲＥＧごとにＡＣＫ／ＮＡＣＫを配置して２つの中継局用ＰＨＩＣＨとして使用しても良い。
【０１１３】
また、中継局用ＰＨＩＣＨに代えて、中継局用ＰＤＣＣＨを、中継局用ＰＣＦＩＣＨが配置されたＲＥＧと同じＣＣＥ番号のＲＥＧに配置するようにしても良い。この場合の配置例を図１８に示す。図１８において、丸で囲まれたＣＣＥ＃５が配置されているＲＥＧは、ＬＴＥの移動局用ＰＤＣＣＨのＣＣＥ＃４が配置されていたＲＥＧである。
【０１１４】
また、ガードバンド帯域内のＬＴＥの移動局用ＰＤＣＣＨのＣＣＥであって、中継局用ＰＣＦＩＣＨが配置されたＬＴＥの移動局用ＰＤＣＣＨのＣＣＥ番号のＣＣＥを組み合わせて、ＬＴＥ−Ａｄｖａｎｃｅｄの移動局用ＰＤＣＣＨのＣＣＥとしても良い。
【０１１５】
具体的には、図１８に示すように、中継局用ＰＣＦＩＣＨが配置されていたＣＣＥ＃４と、ＬＴＥの移動局用ＰＤＣＣＨのＣＣＥ＃５とを組み合わせて、ＬＴＥ−Ａｄｖａｎｃｅｄの移動局用ＰＤＣＣＨのＣＣＥ＃４を構成するようにしても良い。例えば、図１８において、丸で囲まれたＣＣＥ＃４が配置されているＲＥＧは、変更前の図１７の上段では、ＬＴＥの移動局用ＰＤＣＣＨのＣＣＥ＃５が配置されていたＲＥＧである。このようにすることで、ガードバンド帯域の有効利用が図れ、周波数利用効率を向上させることができる。
【０１１６】
なお、この場合において、ＬＴＥ−Ａｄｖａｎｃｅｄ用ＰＤＣＣＨのＣＣＥ＃４のＲＥＧ数は、ＲＥＧ１個分だけ少なくなるものの、基地局と移動局間の回線品質と比較して、基地局と中継局間の回線品質が高い場合には、十分な受信品質を得ることができる場合がある。したがって、ＬＴＥの移動局用ＰＤＣＣＨのＣＣＥ＃４が配置されていたＲＥＧのうち、中継局用ＰＣＦＩＣＨが配置されなかったＲＥＧに、ＬＴＥ−Ａｄｖａｎｃｅｄ用ＰＤＣＣＨを配置することにより、チャネル利用効率を向上させることができる。
【０１１７】
なお、ＣＣＥの配置によっては、中継局用ＰＤＣＣＨのＲＥＧ数が少なくなる場合もあるが、基地局と中継局間の回線品質が高い場合には、チャネル利用効率を向上させることができる。
【０１１８】
以上のように、本実施の形態によれば、ＰＤＣＣＨを構成するＯＦＤＭシンボル数が１の第１ＯＦＤＭシンボルにおいて、基地局のサービス帯域のうちガードバンド帯域外であって、中継局のサービス帯域と隣接しない周波数帯域における空きＲＥＧに、中継局用ＰＣＦＩＣＨを配置するようにした。これにより、中継局の回り込み干渉の影響を低減することができるようになるため、中継局用の制御信号の受信品質の低下を回避することができるようになる。
【０１１９】
また、高周波数側のＲＥＧに中継局用ＰＣＦＩＣＨを配置するようにした。ＬＴＥのチャネル配置規則に従うと、高周波数側に空きＲＥＧが設けられるため、中継局のサービス帯域が基地局のサービス帯域の高周波数側に隣接する場合に、中継局用の制御信号の受信品質の低下を回避することができるようになる。
【０１２０】
なお、以上の説明では、中継局用ＰＣＦＩＣＨを１つ追加する場合について説明したが、追加する中継局用ＰＣＦＩＣＨ数は、２つでも良い。中継局用ＰＣＦＩＣＨを２つ追加する場合、ＬＴＥの移動局用ＰＤＣＣＨのＣＣＥの配置又は中継局用ＰＣＦＩＣＨを追加する位置によっては、ＬＴＥの移動局用ＰＤＣＣＨが潰れ、ＬＴＥの移動局用ＰＤＣＣＨが２つのＣＣＥ番号を使用できなくなる場合がある。この場合には、中継局用ＰＣＦＩＣＨを１つ追加した場合と同様に、２つのＣＣＥ番号を中継局用ＰＨＩＣＨ又は中継局用ＰＤＣＣＨに利用するようにしても良い。
【０１２１】
（実施の形態４）
以下、実施の形態１から実施の形態３において説明した中継局用のチャネル配置を行う基地局、基地局配下の中継局、及び、ＬＴＥ−Ａｄｖａｎｃｅｄの移動局の構成について説明する。
【０１２２】
［基地局の構成］
図１９は、本実施の形態に係る基地局１００の構成を示すブロック図である。
【０１２３】
無線受信部１０１は、移動局から送信される信号をアンテナを介して受信し、ダウンコンバート等の無線処理を施して変調信号を取得し、取得した変調信号を復調部１０２に出力する。
【０１２４】
復調部１０２は、変調信号を復調して復調信号を取得し、取得した復調信号を復号部１０３に出力する。
【０１２５】
復号部１０３は、復調信号を復号して復号データを取得し、取得した復号データを誤り判定部１０４に出力する。
【０１２６】
誤り判定部１０４は、復号データに誤りがあるか否かを判定し、判定結果を制御信号生成部１０７に出力する。
【０１２７】
符号化部１０５は、送信信号を符号化して符号化信号を生成し、生成した符号化信号を変調部１０６に出力する。
【０１２８】
変調部１０６は、符号化信号を変調して変調信号を生成し、生成した変調信号を制御信号生成部１０７及びチャネル割当部１０９に出力する。
【０１２９】
制御信号生成部１０７は、誤り判定部１０４から入力された判定結果の情報に応じてＡＣＫ／ＮＡＣＫ信号を生成し、ＡＣＫ／ＮＡＣＫ信号を制御信号割当部１０８に出力する。また、制御信号生成部１０７は、変調部１０６から入力された変調信号に応じて、チャネル割り当て情報を生成し、チャネル割り当て情報をチャネル割当部１０９に出力する。
【０１３０】
制御信号割当部１０８は、基地局配下の移動局又は中継局用の制御信号を割り当てる制御チャネルの位置を決定する。制御チャネルとは、例えば、ＰＤＣＣＨ、ＰＨＩＣＨ、又はＰＣＦＩＣＨである。具体的には、制御信号割当部１０８は、移動局用の制御信号を割り当てる移動局用の制御チャネルの位置、又は、中継局用の制御信号を割り当てる中継局用の制御チャネルの位置を決定する。制御信号割当部１０８は、割り当て決定結果をチャネル割当部１０９に出力する。なお、中継局用の制御チャネルの配置は、実施の形態１から実施の形態３において説明した配置例に従う。
【０１３１】
チャネル割当部１０９は、割り当て決定結果に応じて、制御信号を移動局用又は中継局用の制御チャネルに配置する。また、チャネル割当部１０９は、チャネル割当情報に応じて、変調信号をＰＤＳＣＨ（Physical Downlink Shared Channel）に配置する。チャネル割当部１０９は、制御チャネル及びＰＤＳＣＨを無線送信部１１０に出力する。
【０１３２】
無線送信部１１０は、制御チャネル及びＰＤＳＣＨに対してアップコンバート等の無線処理を施して送信信号を生成し、送信信号をアンテナから移動局又は中継局に送信する。
【０１３３】
［中継局の構成］
図２０は、本実施の形態に係る中継局２００の構成を示すブロック図である。
【０１３４】
無線受信部２０１は、基地局から送信される信号をアンテナを介して受信し、ダウンコンバート等の無線処理を施して変調信号を取得し、取得した変調信号を信号分離部２０２に出力する。
【０１３５】
信号分離部２０２は、受信信号を制御信号とデータ信号とに分類する。信号分離部２０２は、制御信号を中継局用制御信号受信部２０３に出力し、データ信号を復調部２０４に出力する。
【０１３６】
中継局用制御信号受信部２０３は、中継局用に配置された制御チャネルをブラインド判定し、中継局用の制御信号を抽出する。中継局用制御信号受信部２０３は、抽出した制御信号からチャネル割り当て、復調方法、復号方法を解読し、これら情報を復調部２０４及び復号部２０５に出力する。
【０１３７】
復調部２０４は、データ信号を復調して復調データ信号を取得し、復調データ信号を復号部２０５に出力する。
【０１３８】
復号部２０５は、復調データ信号を復号して復号データを取得し、復号データを誤り判定部２０６に出力する。
【０１３９】
誤り判定部２０６は、復号データに誤りがあるか否か判定し、判定結果を制御信号生成部２０９に出力する。また、復号データに誤りがない場合、復号データを中継局２００配下の移動局に中継送信するために、誤り判定部２０６は、符号化部２０７に復号データを出力する。
【０１４０】
符号化部２０７は、誤り判定部２０６から出力される復号データを符号化して符号化信号を生成し、符号化信号を変調部２０８に出力する。
【０１４１】
変調部２０８は、符号化信号を変調して変調信号を生成し、変調信号を制御信号生成部２０９及びチャネル割当部２１１に出力する。
【０１４２】
制御信号生成部２０９は、誤り判定部２０６からの判定結果が誤りありの場合、制御信号を生成せず、誤り判定部２０６からの判定結果が誤りなしの場合、誤りなしを示すＮＡＣＫ信号を生成し、生成したＮＡＣＫ信号を移動局用制御信号割当部２１０に出力する。また、制御信号生成部２０９は、変調部２０８から入力された変調信号に応じて、チャネル割り当て情報を生成し、チャネル割り当て情報をチャネル割当部２１１に出力する。
【０１４３】
移動局用制御信号割当部２１０は、中継局配下の移動局用の制御信号を割り当てる制御チャネルの位置を決定する。具体的には、移動局用制御信号割当部２１０は、移動局用の制御信号を割り当てる移動局用の制御チャネルの位置を決定する。移動局用制御信号割当部２１０は、割り当て決定結果を、チャネル割当部２１１に出力する。
【０１４４】
チャネル割当部２１１は、割り当て決定結果に応じて、制御信号を移動局用の制御チャネルに配置する。また、チャネル割当部２１１は、チャネル割当情報に応じて、変調信号をＰＤＳＣＨに配置し、制御チャネル及びＰＤＳＣＨを無線送信部２１２に出力する。
【０１４５】
無線送信部２１２は、制御チャネル及びＰＤＳＣＨに対してアップコンバート等の無線処理を施して送信信号を生成し、送信信号をアンテナから移動局に送信する。
【０１４６】
［ＬＴＥ−Ａｄｖａｎｃｅｄ移動局］
図２１は、本実施の形態に係るＬＴＥ−Ａｄｖａｎｃｅｄ移動局の構成を示すブロック図である。図２１のＬＴＥ−Ａｄｖａｎｃｅｄ移動局３００は、基地局１００から送信される信号を受信する。
【０１４７】
無線受信部３０１は、基地局から送信される信号をアンテナを介して受信し、ダウンコンバート等の無線処理を施して受信信号を取得し、受信信号を信号分離部３０２に出力する。
【０１４８】
信号分離部３０２は、受信信号を制御チャネルと変調信号とに分類する。信号分離部３０２は、制御チャネルを制御信号受信部３０３に出力し、変調信号を復調部３０４に出力する。
【０１４９】
制御信号受信部３０３は、ＬＴＥ−Ａｄｖａｎｃｅｄ用に配置された制御チャネルをブラインド判定し、ＬＴＥ−Ａｄｖａｎｃｅｄ用の制御信号を抽出する。制御信号受信部３０３は、抽出した制御信号からチャネル割り当て、復調方法、復号方法を解読し、これら情報を復調部３０４及び復号部３０５に出力する。
【０１５０】
復調部３０４は、変調信号を復調して復調データ信号を取得し、復調データ信号を復号部３０５に出力する。
【０１５１】
復号部３０５は、復調データ信号を復号して復号データを取得し、復号データを誤り判定部３０６に出力する。
【０１５２】
誤り判定部３０６は、復号データに誤りがあるか否かを判定し、判定結果をＡＣＫ／ＮＡＣＫ生成部３０９に出力する。
【０１５３】
符号化部３０７は、送信信号を符号化して符号化信号を生成し、符号化信号を変調部３０８に出力する。
【０１５４】
変調部３０８は、符号化信号を変調して変調信号を生成し、変調信号をチャネル割当部３１０に出力する。
【０１５５】
ＡＣＫ／ＮＡＣＫ生成部３０９は、誤り判定の結果に従い、ＡＣＫ信号又はＮＡＣＫ信号を生成し、生成したＡＣＫ信号又はＮＡＣＫ信号をチャネル割当部３１０に出力する。
【０１５６】
チャネル割当部３１０は、変調部３０８から出力される変調信号及びＡＣＫ／ＮＡＣＫ生成部３０９から出力されるＡＣＫ／ＮＡＣＫ信号をＰＵＣＣＨ（Physical Uplink Control Channel）に配置し、ＰＵＣＣＨを無線送信部３１１に出力する。
【０１５７】
無線送信部３１１は、ＰＵＣＣＨに対してアップコンバート等の無線処理を施して送信信号を生成し、送信信号をアンテナから基地局に送信する。
【０１５８】
以上、実施の形態１〜実施の形態３において説明した中継局用のチャネル配置を行う基地局、基地局配下の中継局、及び、ＬＴＥ−Ａｄｖａｎｃｅｄの移動局の構成について説明した。
【０１５９】
なお、上記実施の形態では、図３又は図９に示すように、中継局のサービス帯域が基地局のサービス帯域に隣接し、基地局のサービス帯域の高周波数側又は低周波数側が中継局のガードバンド帯域である場合を例に説明したが、中継局のサービス帯域と基地局のサービス帯域との配置はこれに限定されない。例えば、基地局のサービス帯域と中継局のサービス帯域又は中継局のサービス一部とが同一周波数帯域に重なっていても良い。図２２に、基地局のサービス帯域と中継局のサービス帯域との別の配置例を示す。図２２は、基地局のサービス帯域と中継局のサービス一部とが同一周波数帯域に重ねて配置される場合の例である。なお、図２２では、中継局のサービス帯域（図２２（ａ））と基地局のサービス帯域（図２２（ｂ））とを分けて図示した。
【０１６０】
この場合にも、上記実施の形態と同様に、中継局のサービス帯域に隣接する帯域をガードバンド帯域とし、基地局のサービス帯域のうち、中継局のサービス帯域及びガードバンド帯域以外の帯域を、基地局から中継局への下り回線に用いられる帯域（中継局の受信帯域（第３の周波数帯域））とし、基地局は、中継局の受信帯域（第３の周波数帯域）に、中継局用の制御信号を配置するようにすれば良い。
【０１６１】
なお、中継局のサービス帯域又は中継局のサービス帯域の一部（第４の周波数帯域）を、基地局から他の中継局又は基地局配下の移動局への下り回線に用いるようにしても良い。そして、中継局の受信帯域（第３の周波数帯域）が、基地局から中継局又は基地局配下の移動局への下り回線に用いられる帯域（第１の周波数帯域）と、基地局から他の中継局又は基地局配下の移動局への下り回線に用いられる帯域（第４の周波数帯域）とを合わせた帯域のＭ／Ｎ（Ｍ／Ｎ＞０）となる場合、Ｎ個のＣＣＥ番号からＭ個のＣＣＥ番号を選択し、Ｎ個のＣＣＥ番号のＣＣＥに、選択したＭ個のＣＣＥ番号を割り当て、Ｍ個のＣＣＥ番号が割り当てられたＣＣＥを、中継局用のＣＣＥとするようにしても良い。
【０１６２】
また、図２３に示すように、中継局＃１と中継局＃２のサービス帯域と、中継局＃１と中継局＃２の受信帯域とが入れ子になるように配置される無線通信システムに対して、本発明を適用しても良い。この場合、中継局＃１用の制御信号は、中継局＃２の受信帯域に配置され、中継局＃２用の制御信号は、中継局＃２の受信帯域に配置される。
【０１６３】
上記実施の形態では、本発明をハードウェアで構成する場合を例にとって説明したが、本発明はソフトウェアで実現することも可能である。
【０１６４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１６６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１６７】
本発明は、周波数分割中継を用いる下り回線において、中継局の回り込み干渉の影響を低減させ、中継局の受信信号の品質低下を防止する送信方法及び基地局等として有用である。
【図面の簡単な説明】
【０１６８】
【図１】回り込み干渉を説明するための概念図
【図２】各実施の形態における無線通信システムの概念図
【図３】基地局のサービス帯域と中継局のサービス帯域との配置の一例を示す図
【図４】ＬＴＥシステムの下り回線における移動局用ＰＤＣＣＨのＣＣＥの配置例を示す図
【図５】本発明の実施の形態１における中継局用ＰＤＣＣＨのＣＣＥの配置例＃１を示す図
【図６】実施の形態１における中継局用ＰＤＣＣＨのＣＣＥの配置例＃２を示す図
【図７】実施の形態１における中継局用ＰＤＣＣＨのＣＣＥの配置例＃３を示す図
【図８】実施の形態１における中継局用ＰＤＣＣＨのＣＣＥの配置例＃４を示す図
【図９】配置例＃４が適用される場合の基地局のサービス帯域と中継局のサービス帯域との関係を示す図
【図１０】本発明の実施の形態２における中継局用ＰＨＩＣＨの配置例を説明するための図
【図１１】実施の形態２における中継局用ＰＨＩＣＨの配置例を説明するための別の図
【図１２】ＬＴＥの移動局用ＰＣＦＩＣＨのＣＣＥの配置を示す図
【図１３】本発明の実施の形態３における中継局用ＰＣＦＩＣＨの配置例＃５を示す図
【図１４】実施の形態３における中継局用ＰＣＦＩＣＨの配置例＃６を示す図
【図１５】実施の形態３における中継局用ＰＣＦＩＣＨの配置例＃７Ａを示す図
【図１６】実施の形態３における中継局用ＰＣＦＩＣＨの配置例＃７Ｂを示す図
【図１７】実施の形態３における中継局用ＰＣＦＩＣＨの配置例＃７Ｃを示す図
【図１８】実施の形態３における中継局用ＰＤＣＣＨの配置例を示す図
【図１９】本発明の実施の形態４に係る基地局の構成を示すブロック図
【図２０】実施の形態４に係る中継局の構成を示すブロック図
【図２１】実施の形態４に係るＬＴＥ−Ａｄｖａｎｃｅｄ移動局の構成を示すブロック図
【図２２】基地局のサービス帯域と中継局のサービス帯域との別の配置例を示す図
【図２３】基地局のサービス帯域と２つの中継局のサービス帯域との配置例を示す図
【符号の説明】
【０１６９】
１００  基地局
１０１  無線受信部
１０２  復調部
１０３  復号部
１０４  誤り判定部
１０５  符号化部
１０６  変調部
１０７  制御信号生成部
１０８  制御信号割当部
１０９  チャネル割当部
１１０  無線送信部
２００  中継局
２０１  無線受信部
２０２  信号分離部
２０３  中継局用制御信号受信部
２０４  復調部
２０５  復号部
２０６  誤り判定部
２０７  符号化部
２０８  変調部
２０９  制御信号生成部
２１０  移動局用制御信号割当部
２１１  チャネル割当部
２１２  無線送信部
３００  ＬＴＥ−Ａｄｖａｎｃｅｄ移動局
３０１  無線受信部
３０２  信号分離部
３０３  制御信号受信部
３０４  復調部
３０５  復号部
３０６  誤り判定部
３０７  符号化部
３０８  変調部
３０９  ＡＣＫ／ＮＡＣＫ生成部
３１０  チャネル割当部
３１１  無線送信部
【図１】
2010148012.tif 000003
【図２】
2010148012.tif 000004
【図３】
2010148012.tif 000005
【図４】
2010148012.tif 000006
【図５】
2010148012.tif 000007
【図６】
2010148012.tif 000008
【図７】
2010148012.tif 000009
【図８】
2010148012.tif 000010
【図９】
2010148012.tif 000011
【図１０】
2010148012.tif 000012
【図１１】
2010148012.tif 000013
【図１２】
2010148012.tif 000014
【図１３】
2010148012.tif 000015
【図１４】
2010148012.tif 000016
【図１５】
2010148012.tif 000017
【図１６】
2010148012.tif 000018
【図１７】
2010148012.tif 000019
【図１８】
2010148012.tif 000020
【図１９】
2010148012.tif 000021
【図２０】
2010148012.tif 000022
【図２１】
2010148012.tif 000023
【図２２】
2010148012.tif 000024
【図２３】
2010148012.tif 000025